(57)【要約】【課題】建物の壁面に取り付ける同軸ケーブル接続端子において、壁の内部に設けた同軸ケーブルのよじれを防ぐ。【解決手段】中心コンタクトと前記中心コンタクトの周囲に設けられた外部コンタクトとを有する第１端子部及び第２端子部と、前記第１端子部の中心コンタクトと前記第２端子部の中心コンタクト、及び前記第１端子部の外部コンタクトと前記第２端子部の外部コンタクトのそれぞれを電気的に接続する端子接続部とを備えた、壁面を挟んで設けられた同軸ケーブル同士を接続するための同軸ケーブル接続端子であって、前記第１端子部の前記同軸ケーブルを接続する部分の軸方向と前記第２端子部の前記同軸ケーブルを接続する部分の軸方向とのなす角を変えられる同軸ケーブル接続端子である。【選択図】　　　　図８
2004063289.tif 000002
【特許請求の範囲】
【請求項１】
中心コンタクトと前記中心コンタクトの周囲に設けられた外部コンタクトとを有する第１端子部及び第２端子部と、前記第１端子部の中心コンタクトと前記第２端子部の中心コンタクト、及び前記第１端子部の外部コンタクトと前記第２端子部の外部コンタクトのそれぞれを電気的に接続する端子接続部とを備えた、壁面を挟んで設けられた同軸ケーブル同士を接続するための同軸ケーブル接続端子であって、
前記第１端子部の前記同軸ケーブルを接続する部分の軸方向と前記第２端子部の前記同軸ケーブルを接続する部分の軸方向とのなす角を変えられることを特徴とする同軸ケーブル接続端子。
【請求項２】
前記第１端子部の前記同軸ケーブルを接続する部分は、前記第１端子部の軸方向と直交する軸を回転軸として回転することを特徴とする請求項１に記載の同軸ケーブル接続端子。
【請求項３】
前記第２端子部の前記同軸ケーブルを接続する部分は、前記第２端子部の軸方向と直交する軸を回転軸として回転することを特徴とする請求項１または請求項２に記載の同軸ケーブル接続端子。
【請求項４】
前記第１端子部及び前記第２端子部は、前記端子接続部との接続部分を支点として、それぞれが独立して回転することを特徴とする請求項１乃至請求項３のいずれか１項に記載の同軸ケーブル接続端子。
【請求項５】
前記第１端子部及び前記第２端子部は、前記第１端子部の中心コンタクトと前記第２端子部の中心コンタクト、及び前記第１端子部の外部コンタクトと前記第２端子部の外部コンタクトの電気的接続を保ちながら回転することを特徴とする請求項２乃至請求項４のいずれか１項に記載の同軸ケーブル接続端子。
【請求項６】
中心コンタクトと前記中心コンタクトの周囲に設けられた外部コンタクトとを有する第１端子部及び第２端子部と、前記第１端子部の中心コンタクトと前記第２端子部の中心コンタクト、及び前記第１端子部の外部コンタクトと前記第２端子部の外部コンタクトのそれぞれを電気的に接続する端子接続部とを備えた、壁面を挟んで設けられた同軸ケーブル同士を接続するための同軸ケーブル接続端子であって、
前記第１端子部の外部コンタクトは、円筒状導体部の一端に突起が設けられ、かつ、前記突起の表面から前記円筒状導体部の内部空間に連通する開口部が設けられたコンタクト導体と、前記コンタクト導体の前記突起を支持する支持部を有する支持導体からなり、
前記第１端子部の中心コンタクトは、前記コンタクト導体の前記円筒状導体部の中心軸の近傍に設けられた第１中心コンタクトと、前記コンタクト導体の前記突起に設けられた開口部を通して前記第１中心コンタクトと電気的に接続された第２中心コンタクトからなり、
前記コンタクト導体の突起は、前記円筒状導体部の中心軸と直交する軸の１つが回転軸となるように設けられており、前記第２中心コンタクトの前記第１中心コンタクトと電気的に接続された部分は、前記回転軸上あるいは前記回転軸の近傍を通ることを特徴とする同軸ケーブル接続端子。
【請求項７】
前記第２端子部の外部コンタクトは、円筒状導体部の一端に突起が設けられ、かつ、前記突起の表面から前記円筒状導体部の内部空間に連通する開口部が設けられたコンタクト導体と、前記コンタクト導体の前記突起を支持する支持部を有する支持導体からなり、
前記第２端子部の中心コンタクトは、前記コンタクト導体の前記円筒状導体部の中心軸の近傍に設けられた第１中心コンタクトと、前記コンタクト導体の前記突起に設けられた開口部を通して前記第１中心コンタクトと電気的に接続された第２中心コンタクトからなり、
前記コンタクト導体の突起は、前記円筒状導体部の中心軸と直交する軸の１つが回転軸となるように設けられており、前記第２中心コンタクトの前記第１中心コンタクトと電気的に接続された部分は、前記回転軸上あるいは前記回転軸の近傍を通ることを特徴とする請求項６に記載の同軸ケーブル接続端子。
【請求項８】
前記第１端子部または前記第２端子部、もしくは前記第１端子部及び前記第２端子部の前記支持導体は、前記接続端子部と接続される部分に円筒状の回転支点部が設けられており、前記第２中心コンタクトの一端が、前記回転支点部の中心軸上あるいは中心軸の近傍を通ることを特徴とする請求項６または請求項７に記載の同軸ケーブル接続端子。
【発明の詳細な説明】
【０００１】
【発明の属する技術分野】
本発明は、同軸ケーブル接続端子に関し、特に、建物の壁面を挟んで設けられた同軸ケーブルを接続する端子に適用して有効な技術に関するものである。
【０００２】
【従来の技術】
従来、例えば、室外に設置されたテレビアンテナやケーブルテレビ（ＣＡＴＶ）の中継器と、室内に設置したテレビ受像機とを、同軸ケーブルで接続するときには、同軸ケーブル接続端子を用いる。
【０００３】
前記同軸ケーブル接続端子は、一般に、建物の壁面に取り付けられており、例えば、前記テレビアンテナと接続された同軸ケーブルを接続する端子（第１端子部）は、建物の壁の内部（裏側）に設けられており、前記テレビ受像機と接続された同軸ケーブルを接続する端子（第２端子部）は、建物の壁から室内に突出するように設けられている。
【０００４】
前記同軸ケーブル接続端子を、建物の壁面に取り付けるときには、例えば、前記壁の内部を通り、取り付け位置に設けられた開口部（埋め込みボックス）から引き出された同軸ケーブルを前記第１端子部に接続する。前記壁の内部から引き出された同軸ケーブルを前記第１端子部に接続するときには、作業性をよくするために、前記同軸ケーブルを適当な長さだけ室内に引っ張り出して作業を行うのが一般的である。その後、前記同軸ケーブルを接続した同軸ケーブル接続端子を、前記埋め込みボックス（壁）に取り付ける。
【０００５】
【発明が解決しようとする課題】
しかしながら、前記従来の技術では、前記同軸ケーブル接続端子の前記第１端子部及び前記第２端子部は、前記同軸ケーブルが接続される部分の相対的な位置関係が固定されている。そのため、壁の内部から引き出された同軸ケーブルを前記第１端子部に接続して壁に取り付けるために、前記室内に引っ張り出した分を壁の内側に戻すときに同軸ケーブルがよじれやすいという問題があった。
【０００６】
また、前記壁の内部から引き出された同軸ケーブルを前記第１端子部に接続するときには、接続方向が固定されているため、接続した同軸ケーブルがよじれた場合には、室内に引っ張り出した分を壁の内側に戻す作業の効率が悪いという問題があった。
【０００７】
また、テレビ受像機などの端子と前記第２端子部を前記同軸ケーブルで接続するときにも、従来は前記第２端子部への接続方向が固定されているので、前記同軸ケーブル接続端子を取り付けた面に、家具などを置いた場合、同軸ケーブルの接続や接続後の同軸ケーブルの引き回しの作業性が悪いという問題があった。
【０００８】
本発明の目的は、建物の壁面に取り付ける同軸ケーブル接続端子において、壁の内部に設けた同軸ケーブルのよじれを防ぐことが可能な技術を提供することにある。
【０００９】
本発明の他の目的は、建物の壁面に取り付ける同軸ケーブル接続端子において、取り付け時の作業性を向上させることが可能な技術を提供することにある。
【００１０】
本発明の他の目的は、建物の壁面に取り付ける同軸ケーブル接続端子において、同軸ケーブルを接続したときの引き回しの作業性を向上させることが可能な技術を提供することにある。
【００１１】
本発明の前記ならびにその他の目的と新規な特徴は、本明細書の記述及び添付図面によって明らかになるであろう。
【００１２】
【課題を解決するための手段】
本願において開示される発明の概要を説明すれば、以下の通りである。
【００１３】
（１）中心コンタクトと前記中心コンタクトの周囲に設けられた外部コンタクトとを有する第１端子部及び第２端子部と、前記第１端子部の中心コンタクトと前記第２端子部の中心コンタクト、及び前記第１端子部の外部コンタクトと前記第２端子部の外部コンタクトのそれぞれを電気的に接続する端子接続部とを備えた、壁面を挟んで設けられた同軸ケーブル同士を接続するための同軸ケーブル接続端子であって、前記第１端子部の前記同軸ケーブルを接続する部分の軸方向と前記第２端子部の前記同軸ケーブルを接続する部分の軸方向とのなす角を変えられることを特徴とする同軸ケーブル接続端子である。
【００１４】
前記（１）の手段によれば、前記第１端子部の前記同軸ケーブルを接続する部分の軸方向と前記第２端子部の前記同軸ケーブルを接続する部分の軸方向とのなす角を変えられるので、壁の内部から引き出した同軸ケーブルの接続作業、及び接続後に同軸ケーブルを壁の内部に戻して壁面に取り付ける作業を容易にすることができる。
【００１５】
このとき、前記第１端子部の前記同軸ケーブルを接続する部分が、例えば、前記第１端子部の軸方向と直交する軸を回転軸として回転することで、角度を変えることができる。
【００１６】
またこのとき、前記第２端子部の前記同軸ケーブルを接続する部分が、前記第２端子部の軸方向と直交する軸を回転軸として回転することで、壁の内部の同軸ケーブル、及び室内の同軸ケーブルのそれぞれの接続方向を変えることができ、接続後の同軸ケーブルの引き回し作業が容易になる。
【００１７】
また、前記第１端子部及び前記第２端子部が、前記端子接続部との接続部分を支点として、それぞれが独立して回転することで、前記第１端子部及び前記第２端子部に同軸ケーブルを接続した後、同軸ケーブルのよじれを防ぐことができる。また、接続時に同軸ケーブルがよじれても、よじれを容易に戻すことができる。
【００１８】
またこのとき、前記第１端子部及び前記第２端子部は、前記第１端子部の中心コンタクトと前記第２端子部の中心コンタクト、及び前記第１端子部の外部コンタクトと前記第２端子部の外部コンタクトの電気的接続を保ちながら回転することで、前記同軸ケーブルの接続方向の自由度が高くなり、接続後の同軸ケーブルの引き回しの作業性が向上する。
【００１９】
（２）中心コンタクトと前記中心コンタクトの周囲に設けられた外部コンタクトとを有する第１端子部及び第２端子部と、前記第１端子部の中心コンタクトと前記第２端子部の中心コンタクト、及び前記第１端子部の外部コンタクトと前記第２端子部の外部コンタクトのそれぞれを電気的に接続する端子接続部とを備えた、壁面を挟んで設けられた同軸ケーブル同士を接続するための同軸ケーブル接続端子であって、前記第１端子部の外部コンタクトは、円筒状導体部の一端に突起が設けられ、かつ、前記突起の表面から前記円筒状導体部の内部空間に連通する開口部が設けられたコンタクト導体と、前記コンタクト導体の前記突起を支持する支持部を有する支持導体からなり、前記第１端子部の中心コンタクトは、前記コンタクト導体の前記円筒状導体部の中心軸の近傍に設けられた第１中心コンタクトと、前記コンタクト導体の前記突起に設けられた開口部を通して前記第１中心コンタクトと電気的に接続された第２中心コンタクトからなり、前記コンタクト導体の突起は、前記円筒状導体部の中心軸と直交する軸の１つが回転軸となるように設けられており、前記第２中心コンタクトの前記第１中心コンタクトと電気的に接続された部分は、前記回転軸上あるいは前記回転軸の近傍を通ること同軸ケーブル接続端子である。
【００２０】
前記（２）の手段によれば、前記コンタクト導体に設けられた突起を、前記支持導体で支持することにより、前記コンタクト導体を、前記支持導体との電気的接続を保ちながら回転させることができる。
【００２１】
また、前記コンタクト導体の中心軸の近傍に前記第１中心コンタクトを設けておき、前記コンタクト導体の回転軸上を通る第２中心コンタクトと前記第１中心コンタクトを電気的に接続することで、前記第１中心コンタクトは、前記コンタクト導体との相対的な位置を保ち、かつ、第２中心コンタクトとの電気的接続を保ちながら回転させることができる。
【００２２】
また、前記（２）の手段において、前記第１端子部だけでなく、前記第２端子部も前記第１端子部と同様の構成にすることで、前記同軸ケーブル接続端子に同軸ケーブルを接続するときの接続方向の自由度がさらに高くなる。
【００２３】
またこのとき、前記第１端子部または前記第２端子部、もしくは前記第１端子部及び前記第２端子部の前記支持導体に、前記接続端子部と接続される部分に円筒状の回転支点部を設け、前記第２中心コンタクトの一端が、前記回転支点部の中心軸上あるいは中心軸の近傍を通るようにすることで、前記第１端子部または前記第２端子部を、前記回転支点部を支点として回転させることができる。そのため、同軸ケーブルの接続方向を３次元的に変えることが容易になる。
【００２４】
また、前記第１端子部および前記第２端子部を、前記回転支点部で回転させることができるため、接続した同軸ケーブルのよじれを戻す作業が容易になる。
【００２５】
以下、本発明について、図面を参照して実施の形態（実施例）とともに詳細に説明する。
【００２６】
なお、実施例を説明するための全図において、同一機能を有するものは、同一符号を付け、その繰り返しの説明は省略する。
【００２７】
【発明の実施の形態】
（実施例）
図１乃至図７は、本発明による一実施例の同軸ケーブル接続端子の概略構成を示す模式図であり、図１は同軸ケーブル接続端子の平面図、図２は同軸ケーブル接続端子を図１と同じ方向から見たときの内部構造を示す図、図３（ａ）は同軸ケーブル接続端子の同軸ケーブルが接続される部分の拡大図、図３（ｂ）は図３（ａ）と同じ方向から見たときの内部構造を示す図、図４（ａ）は図３（ａ）の紙面右方向から見たときの側面図、図４（ｂ）は図４（ａ）と同じ方向から見たときの内部構造を示す図、図５は第１端子部の特徴を説明するための図、図６は図５の底面図、図７（ａ）は外部コンタクト支持導体の平面図、図７（ｂ）は図７（ａ）のＡ−Ａ’線での断面図である。
【００２８】
図１において、１は第１端子部（入力端子）、１０１Ａは第１中心コンタクト、１０１Ｂは第２中心コンタクト、１０２はコンタクト導体、１０２Ａは円筒状導体部１０２Ｂは突起、１０３は支持導体、２は第２端子部（ＴＶ端子）、２０１Ａは第１中心コンタクト、２０１Ｂは第２中心コンタクト、２０２はコンタクト導体、２０２Ａは円筒状導体部、２０２Ｂは突起、２０３は支持導体、３は端子接続部、３０１は中心コンタクト接続導体、３０２は外部コンタクト接続導体、３０３は外部コンタクト支持ピン、４は取り付け枠である。また、図２において、１０３Ａ，２０３Ａは第１支持導体、１０３Ｂ，２０３Ｂは第２支持導体、１０４Ａ，２０４Ａは第１ブッシュ、１０４Ｂ，２０４Ｂは第２ブッシュ、１０５，２０５はブッシュである。
【００２９】
本実施例の同軸ケーブル接続端子は、図１及び図２に示すように、第１中心コンタクト１０１Ａ及び第２中心コンタクト１０１Ｂからなる中心コンタクトとコンタクト導体１０２及び支持導体１０３からなる外部コンタクトを備える第１端子部１と、第１中心コンタクト２０１Ａ及び第２中心コンタクト２０１Ｂからなる中心コンタクトとコンタクト導体２０２及び支持導体２０３からなる外部コンタクトを備える第２端子部２と、前記第１端子部１の第２中心コンタクト１０１Ｂと前記第２端子部２の第２中心コンタクト２０１Ｂ、前記第１端子１の支持導体１０３と前記第２端子２の支持導体２０３を電気的に接続する端子接続部３により構成されている。
【００３０】
このとき、例えば、前記第１端子部１の前記コンタクト導体１０２は、図３（ａ）、図３（ｂ）、図４（ａ）、及び図４（ｂ）に示したように、円筒状導体部１０２Ａの一端に、一対の突起１０２Ｂが設けられ、かつ、前記突起１０２Ｂの表面から前記円筒状導体部１０２Ａの内部空間に連通する開口部が設けられている。このとき、前記突起１０２Ｂは、例えば、図４（ａ）に示したように、円板状に設けられている。またこのとき、前記一対の突起１０２Ｂは、それぞれの中心軸が、前記円筒状導体部１０２Ａの中心軸１０２Ｘと直交する１つの軸ＲＸ１と重なるように設けられている。また、前記円筒状導体部１０２Ａの外周面はねじ切りが施されている。
【００３１】
また、前記第１端子部１の前記第１中心コンタクト１０１Ａは、第１ブッシュ１０４Ａ及び第２ブッシュ１０４Ｂにより、前記コンタクト導体１０２の円筒状導体部１０２Ａの中心軸１０２Ｘの近傍に支持されている。このとき、前記第１中心コンタクト１０１Ａは、図４（ａ）及び図４（ｂ）に示したように、両端にバネ性を有するメス受け部が設けられている。
【００３２】
また、前記第１端子部１の第２中心コンタクト１０１Ｂは、一端の直線部が、前記コンタクト導体１０２の突起１０２Ｂに設けられた開口部を通り、前記第１中心コンタクト１０１Ａのメス受け部に挟まれたかたちで前記第１中心コンタクト１０１Ａと電気的に接続されている。またこのとき、前記第２中心コンタクト１０１Ｂの、前記第１中心コンタクト１０１Ａと接続された端の直線部は、図３（ａ）及び図３（ｂ）に示したように、前記コンタクト導体１０２の中心軸１０２Ｘと直交する軸ＲＸ１上を通っている。前記軸ＲＸ１は、前記コンタクト導体１０２に設けられた突起の中心軸、言い換えると前記コンタクト導体１０２の回転軸である。
【００３３】
また、前記第１端子部１の支持導体１０３は、図２及び図５に示すように、第１支持導体１０３Ａと第２支持導体１０３Ｂとにより構成されており、前記コンタクト導体１０２は、前記第１支持導体１０３Ａの支持部Ｇ１と前記第２支持導体１０３Ｂの支持部Ｇ２で、前記コンタクト導体１０２の突起１０２Ｂを挟むようにして支持されている。このとき、前記コンタクト導体１０２と前記第１支持導体１０３Ａ及び前記第２支持導体１０３Ｂとは、物理的には接触した状態であり、前記コンタクト導体１０２は、前記突起１０２Ｂを支点として回転させることができる。
【００３４】
また、前記第１支持導体１０３Ａは、図５及び図６に示したように、前記端子接続部３の外部コンタクト接続導体３０２と接続される部分に、円筒状の回転支点部が設けられている。このとき、前記外部コンタクト接続導体３０２は、図７（ａ）及び図７（ｂ）に示すように、前記第１支持導体１０３Ａの回転支点部と対応する穴３０２Ａが設けられており、前記第１支持導体１０３Ａの回転支点部を前記外部コンタクト接続導体３０２の穴３０２Ａに入れることにより、前記第１支持導体１０３Ａと前記外部コンタクト接続導体３０２の電気的接続を保ちながら、前記第１支持導体１０３Ａを軸ＲＸ３回りに回転させることができる。
【００３５】
またこのとき、前記第１支持導体１０３Ａの回転支点部には、図５に示したように、抜け防止用の溝Ｇ３が設けられており、前記第１支持導体１０３Ａの回転支点部を前記外部コンタクト接続導体３０２の穴３０２Ａに入れた後、前記外部コンタクト接続導体３０２の開口部３０２Ｃに、外部コンタクト支持ピン３０３を挿入することで、前記第１支持導体１０３Ａの抜けを防止できる。
【００３６】
また、前記第２端子部２の前記第１中心コンタクト２０１Ａ、前記第２中心コンタクト２０１Ｂ、前記コンタクト導体２０２、前記支持導体２０３の構成は、前記第１端子部１と同様の構成であるため、詳細な説明は省略する。
【００３７】
また、本実施例の同軸ケーブル接続端子は、例えば、建物の壁面に取り付けられる接続端子であり、図１に示したように、前記端子接続部３（外部コンタクト支持導体３０２）は、前記同軸ケーブル接続端子を壁に取り付けるための取り付け枠４に固定されている。
【００３８】
図８及び図９は、本実施例の同軸ケーブル接続端子の動作を説明するための模式図である。
【００３９】
本実施例の同軸ケーブル接続端子は、図８に示すように、前記第１端子部１のコンタクト導体１０２の突起１０２Ｂを支点として、前記コンタクト導体１０２を回転させることができる。同様に、前記第２端子部２のコンタクト導体２０２も前記コンタクト導体２０２の突起２０２Ｂを支点として回転させることができる。またこのとき、前記第１端子部１と前記第２端子部２は、前記端子接続部３との接続部で、軸Ｒ３を回転軸として、それぞれ、独立に回転させることができる。そのため、例えば、図９に示すように、前記同軸ケーブル接続端子を壁５に接続する場合に、前記第１端子部１のコンタクト導体１０２の軸方向１０２Ｘと、前記第２端子部２のコンタクト導体２０２の軸方向２０２Ｘとのなす角を変えることができる。
【００４０】
本実施例の同軸ケーブル接続端子では、前記第１端子部１のコンタクト導体１０２及び前記第２端子部２のコンタクト導体２０２を回転させることができるので、前記第１端子部１及び前記第２端子部２のそれぞれに同軸ケーブルを接続するときに、前記同軸ケーブルの引き出し方向（接続方向）を、自由に設定することができる。
【００４１】
また、前記第１端子部１及び前記第２端子部２が、前記回転軸ＲＸ３まわりに回転することにより、前記第１端子部１のコンタクト導体１０２の軸方向１０２Ｘと前記第２端子部２のコンタクト導体２０２の軸方向２Ｘとのなす角を３次元的に変えることができ、壁に取り付ける作業や、接続した同軸ケーブルの引き回しの作業が容易になる。また、前記同軸ケーブル接続端子に同軸ケーブルを接続したときに、前記同軸ケーブルがよじれても、そのよじれを戻す作業が容易である。
【００４２】
図１０乃至図２１は、本実施例の同軸ケーブル接続端子の組み立て方法を説明するための模式図であり、図１０乃至図１４はコンタクト導体に第１中心コンタクトを取り付ける工程の斜視図、図１５乃至図１７は、第２中心コンタクトを取り付ける工程の斜視図、図１８及び図１９は第１支持導体を取り付ける工程の斜視図、図２０は第２支持導体を取り付ける工程の斜視図、図２１は第１端子部と第２端子部を端子接続部に接続する工程の平面図である。
【００４３】
本実施例の同軸ケーブル接続端子を組み立てるときには、前記第１端子部１及び前記第２端子部２を組み立てる工程と、前記第１端子部１及び前記第２端子部２を前記端子接続部３に接続する工程とに分けられる。以下、それぞれの工程について詳細な説明をするが、前記第１端子部１を組み立てる工程と前記第２端子部２を組み立てる工程は同じであるため、前記第１端子部１の組み立て方法のみを説明する。
【００４４】
前記第１端子部１を組み立てるときには、まず、図１０に示すように、第１ブッシュ１０４Ａ及び第２ブッシュ１０４Ｂを取り付けた第１中心コンタクト１０１Ａをコンタクト導体１０２の円筒状導体部１０２Ａに挿入する。
【００４５】
このとき、前記コンタクト導体１０２は、例えば、亜鉛ダイカストにより形成され、図１１に示すように、円筒状導体部１０２Ａの一端に設けられた一対の突起１０２Ｂの一方の表面から前記円筒状導体部１０２Ａの内部に連通する開口部が形成されている。また、前記円筒状導体部１０２Ａの外周面には、図１０に示したようなねじきりを施しておく。
【００４６】
また、前記第１中心コンタクト１０１Ａは、図１２及び図１３に示すように、第１ブッシュ１０４Ａの開口部（図示しない）を通した後、前記第１ブッシュ１０４Ａを前記第２ブッシュ１０４Ｂにはめ込む。
【００４７】
また、前記第１ブッシュ１０４Ａ及び前記第２ブッシュ１０４Ｂを取り付けた第１中心コンタクト１０１Ａを前記コンタクト導体１０２の円筒状導体部１０２Ａに挿入するときには、図１４に示したように、前記第１中心コンタクト１０１Ａの一方のメス受け部が、前記コンタクト導体１０２の突起１０２Ｂの開口部の中心軸、すなわち前記コンタクト導体１０２の回転軸ＲＸ１の近傍に来るように位置を調節する。
【００４８】
次に、図１５に示すように、ブッシュ１０５が取り付けられた第２中心コンタクト１０１Ｂを、前記コンタクト導体１０２の突起１０２Ｂに設けられた開口部に挿入する。
【００４９】
このとき、前記ブッシュ１０５は、例えば、図１６に示すように、半割構造のブッシュ１０５Ａ，１０５Ｂで前記第２中心コンタクト１０１Ｂを挟んで、前記ブッシ１０５Ａ，１０５Ｂを接着する。
【００５０】
またこのとき、前記ブッシュ１０５は、図１７に示すように、前記第１中心コンタクト１０１Ａが、前記コンタクト導体１０２の回転軸ＲＸ１上を通り、かつ、前記コンタクト導体１０２に取り付けられた前記第１中心コンタクト１０１Ａのメス受け部で挟まれて電気的な接続が確保されるようにする。
【００５１】
次に、図１８及び図１９に示すように、前記第１中心コンタクト１０１Ａ及び前記第２中心コンタクト１０１Ｂが取り付けられた前記コンタクト導体１０２を、第１支持導体１０３Ａに取り付ける。
【００５２】
このとき、前記第１支持導体１０３Ａには、図１８に示したように、前記コンタクト導体１０２の突起１０２Ｂを支持する支持部Ｇ１を設けておく。また、図１８及び図１９に示したように、前記ブッシュ１０５をはめ込んで、前記第２中心コンタクト１０１Ｂの一端が前記第１支持導体１０３Ａに設けられた回転支点部の中心軸１０３Ｘ（ＲＸ３）上を通るように支持する溝を設けておく。
【００５３】
その後、図２０に示すように、前記第１中心コンタクト１０１Ａ及び前記第２中心コンタクト１０１Ｂ、ならびに前記第１支持導体１０３Ａを取り付けた前記コンタクト導体１０２に、第２支持導体１０３Ｂをかぶせ、例えば、ビスなどで前記第１支持導体１０３Ａと前記第２支持導体１０３Ｂをねじ止めすると、本実施例の同軸ケーブル接続端子に用いる第１端子部１を得ることができる。
【００５４】
このとき、前記第２支持導体１０３Ｂには、図２０に示したように、前記コンタクト導体１０２の突起１０２Ｂを支持する支持部Ｇ２を設けておく。
【００５５】
また、本実施例の同軸ケーブル接続端子に用いる第２端子部２は、前記第１端子部１と同様の手順で組み立てる。
【００５６】
前記手順で組み立てた第１端子部１と第２端子部２を接続するときには、例えば、図２１に示したように、前記第２端子部２を外部コンタクト接続導体３０２にはめ込み、前記外部コンタクト接続導体３０２に設けられた貫通穴に外部コンタクト支持ピン３０３を挿入する。このとき、前記外部コンタクト支持ピン３０３が、前記第２端子部２の第１支持導体２０３Ａの回転支点部の側面に設けられた溝Ｇ３に引っかかり、前記第２端子部２が抜けるのを防ぐことができる。
【００５７】
次に、図２１に示したように、前記第１端子部１の第２中心コンタクト１０１Ｂに中心コンタクト接続導体３０１を取り付け、前記第２端子部２と同様の方法で前記外部コンタクト接続導体３０２に取り付ける。
【００５８】
このとき、前記中心コンタクト接続導体３０１は、バネ性を有する導体であり、前記第１端子部１を前記外部コンタクト接続導体３０２に取り付ける際に、前記第２端子部２の第２中心コンタクト２０１Ｂの先端が、前記中心コンタクト接続導体３０１に挿入され、電気的な接続が確保される。
【００５９】
その後、図示は省略するが、前記第１端子部１及び前記第２端子部２を取り付けた前記外部コンタクト接続導体３０２を、例えば、壁に取り付けるときに用いる取り付け枠４に固定することで、本実施例の同軸ケーブル接続端子を得ることができる。
【００６０】
以上説明したように、本実施例の同軸ケーブル接続端子によれば、第１端子部１の軸方向１０２Ｘと第２端子部２の軸方向２０２Ｘのなす角を変えることができるため、同軸ケーブルの接続方向を自由に設定することができる。
【００６１】
また、前記第１端子部１及び前記第２端子部２は、それぞれ独立して回転させることができるので、前記第１端子部１及び前記第２端子部２に同軸ケーブルを接続した後、前記同軸ケーブルのよじれをもどす作業が容易になる。
【００６２】
また、前記第１端子部１及び前記第２端子部２の向きを、電気的な接続を保ちながら変えることができるので、前記壁の内側から引き出された同軸ケーブルを接続した後、接続のために壁の内側から引っ張り出した分のケーブルを戻す作業が容易になり、前記同軸ケーブル接続端子を壁に取り付けるときの作業性が向上する。
【００６３】
また、前記第１端子部１及び前記第２端子部２の向きを、電気的な接続を保ちながら変えることができるので、前記同軸ケーブル接続端子を壁に取り付けた後、例えば、前記同軸ケーブル接続端子の露出した端子（ＴＶ端子）とテレビ受像機の端子を同軸ケーブルで接続するときに、同軸ケーブルの接続方向を自由に設定することができ、同軸ケーブルの引き回しが容易になる。
【００６４】
以上、本発明を、前記実施例に基づき具体的に説明したが、本発明は、前記実施例に限定されるものではなく、その要旨を逸脱しない範囲において、種々変更可能であることはもちろんである。
【００６５】
例えば、前記実施例の同軸ケーブル接続端子では、前記第１端子部１及び前記第２端子部２は、前記各第１中心コンタクト１０１Ａ，２０１Ａがバネ性を持つメス受け部を有するメス型の端子として説明したが、これに限らず、前記第１端子部１及び前記第２端子部２は、前記各第１中心コンタクト１０１Ａ，２０１Ａがピン状の導体であるオス型の端子であってもよい。また、一方の端子がメス型で、他方の端子がオス型であってもよい。
【００６６】
また、前記実施例の同軸ケーブル接続端子では、前記第１端子部１及び前記第２端子部２のコンタクト導体１０２，２０２がそれぞれ回転し、かつ、前記第１端子部１及び前記第２端子部２がそれぞれ独立して回転する例を示したが、これに限らず、前記第１端子部１あるいは前記第２端子部２のいずれかの端子部のみが回転するようにしてもよい。
【００６７】
【発明の効果】
本願において開示される発明のうち、代表的なものによって得られる効果を簡単に説明すれば、以下の通りである。
【００６８】
（１）建物の壁面に取り付ける同軸ケーブル接続端子において、壁の内部に設けた同軸ケーブルのよじれを防ぐことができる。
【００６９】
（２）建物の壁面に取り付ける同軸ケーブル接続端子において、取り付け時の作業性を向上させることができる。
【００７０】
（３）建物の壁面に取り付ける同軸ケーブル接続端子において、同軸ケーブルを接続したときの引き回しの作業性を向上させることができる。
【図面の簡単な説明】
【図１】本発明による一実施例の同軸ケーブル接続端子の概略構成を示す模式平面図である。
【図２】本実施例の同軸ケーブル接続端子の概略構成を示す模式図であり、同軸ケーブル接続端子を図１と同じ方向から見たときの内部構造を示す図である。
【図３】本実施例の同軸ケーブル接続端子の概略構成を示す模式図であり、図３（ａ）は同軸ケーブル接続端子の同軸ケーブルが接続される部分の拡大図、図３（ｂ）は図３（ａ）と同じ方向から見たときの内部構造を示す図である。
【図４】本実施例の同軸ケーブル接続端子の概略構成を示す模式図であり、図４（ａ）は図３（ａ）の紙面右方向から見たときの側面図、図４（ｂ）は図４（ａ）と同じ方向から見たときの内部構造を示す図である。
【図５】本実施例の同軸ケーブル接続端子の概略構成を示す模式図であり、第１端子部の特徴を説明するための図である。
【図６】本実施例の同軸ケーブル接続端子の概略構成を示す模式図であり、図５の底面図である。
【図７】本実施例の同軸ケーブル接続端子の概略構成を示す模式図であり、図７（ａ）は外部コンタクト支持導体の平面図、図７（ｂ）は図７（ａ）のＡ−Ａ’線での断面図である。
【図８】本実施例の同軸ケーブル接続端子の動作を説明するための模式図である。
【図９】本実施例の同軸ケーブル接続端子の動作を説明するための模式図である。
【図１０】本実施例の同軸ケーブル接続端子の組み立て方法を説明するための模式図であり、コンタクト導体に第１中心コンタクトを取り付ける工程の斜視図である。
【図１１】本実施例の同軸ケーブル接続端子の組み立て方法を説明するための模式図であり、コンタクト導体に第１中心コンタクトを取り付ける工程の斜視図である。
【図１２】本実施例の同軸ケーブル接続端子の組み立て方法を説明するための模式図であり、コンタクト導体に第１中心コンタクトを取り付ける工程の斜視図である。
【図１３】本実施例の同軸ケーブル接続端子の組み立て方法を説明するための模式図であり、コンタクト導体に第１中心コンタクトを取り付ける工程の斜視図である。
【図１４】本実施例の同軸ケーブル接続端子の組み立て方法を説明するための模式図であり、コンタクト導体に第１中心コンタクトを取り付ける工程の斜視図である。
【図１５】本実施例の同軸ケーブル接続端子の組み立て方法を説明するための模式図であり、コンタクト導体に第２中心コンタクトを取り付ける工程の斜視図である。
【図１６】本実施例の同軸ケーブル接続端子の組み立て方法を説明するための模式図であり、コンタクト導体に第２中心コンタクトを取り付ける工程の斜視図である。
【図１７】本実施例の同軸ケーブル接続端子の組み立て方法を説明するための模式図であり、コンタクト導体に第２中心コンタクトを取り付ける工程の斜視図である。
【図１８】本実施例の同軸ケーブル接続端子の組み立て方法を説明するための模式図であり、コンタクト導体に第１支持導体を取り付ける工程の斜視図である。
【図１９】本実施例の同軸ケーブル接続端子の組み立て方法を説明するための模式図であり、コンタクト導体に第１支持導体を取り付ける工程の斜視図である。
【図２０】本実施例の同軸ケーブル接続端子の組み立て方法を説明するための模式図であり、コンタクト導体に第２支持導体を取り付ける工程の斜視図である。
【図２１】本実施例の同軸ケーブル接続端子の組み立て方法を説明するための模式図であり、第１端子部と第２端子部を端子接続部に接続する工程の平面図である。
【符号の説明】
１…第１端子部、１０１Ａ…第１中心コンタクト、１０１Ｂ…第２中心コンタクト、１０２…コンタクト導体、１０２Ａ…円筒状導体部、１０２Ｂ…突起、１０３…支持導体、１０３Ａ…第１支持導体、１０３Ｂ…第２支持導体、１０４Ａ…第１ブッシュ、１０４Ｂ…第２ブッシュ、１０５…ブッシュ、２…第２端子部、２０１Ａ…第１中心コンタクト、２０１Ｂ…第２中心コンタクト、２０２…コンタクト導体、２０２Ａ…円筒状導体部、２０２Ｂ…突起、２０３…支持導体、２０３Ａ…第１支持導体、２０３Ｂ…第２支持導体、２０４Ａ…第１ブッシュ、２０４Ｂ…第２ブッシュ、２０５…ブッシュ、３…端子接続部、３０１…中心コンタクト接続導体、３０２…外部コンタクト接続導体、３０３…外部コンタクト支持ピン、４…取り付け枠、５…壁。
【図１】
2004063289.tif 000003
【図２】
2004063289.tif 000004
【図３】
2004063289.tif 000005
【図４】
2004063289.tif 000006
【図５】
2004063289.tif 000007
【図６】
2004063289.tif 000008
【図７】
2004063289.tif 000009
【図８】
2004063289.tif 000010
【図９】
2004063289.tif 000011
【図１０】
2004063289.tif 000012
【図１１】
2004063289.tif 000013
【図１２】
2004063289.tif 000014
【図１３】
2004063289.tif 000015
【図１４】
2004063289.tif 000016
【図１５】
2004063289.tif 000017
【図１６】
2004063289.tif 000018
【図１７】
2004063289.tif 000019
【図１８】
2004063289.tif 000020
【図１９】
2004063289.tif 000021
【図２０】
2004063289.tif 000022
【図２１】
2004063289.tif 000023